(57)【特許請求の範囲】
【請求項１】
膝ベルト部分（２）と斜めベルト部分（３）とを備えるシートベルト（１）を締め付けるためのデバイスであって、上記シートベルトは乗客席に子供用カーシートを固定するために使用され、膝ベルト部分（２）は、子供用カーシートの下部（４）に接してその周囲に配置され、
−上記下部（４）は、膝ベルト部分（２）の一部を置くための迫持台部分（４ａ）、および締め付けユニット（５）が中に配置されるリセス（８）が設けられ、
−締め付けユニット（５）が上記子供用カーシートの下部（４）に、少なくとも１つの取付けポイント（６）の周りを回転可能式に取り付けられ、上記膝ベルト部分（２）は、上記締め付けユニット（５）が、リセス（８）内に収まる初期位置に位置づけられると上記迫持台部分（４ａ）及び上記締め付けユニット（５）の一部に各々接触するように配置され、
−上記締め付けユニット（５）を上記取付けポイント（６）を中心にしてリセス（８）内で回転させることにより、上記締め付けユニット（５）は、リセス（８）内におさまった状態の初期位置から、締め付けユニット（５）の一部がリセス（８）から突出した状態の締め付け位置へ至り、締め付けユニット（５）の一部がリセス（８）から突出して膝ベルト部分（２）を押すことによって上記膝ベルト部分（２）の一部と上記子供用カーシートの下部（４）の迫持台部分（４ａ）との距離が増大し、同時に上記膝ベルト部分（２）の一部と上記締め付けユニット（５）との接触は維持されかつ上記膝ベルト部分（２）の締め付けが達成され、これにより上記子供用カーシートは乗客席の方へとさらに押しつけられ、
上記締め付けユニット（５）にはレバーまたはハンドル（９）が接続され、上記ハンドルまたはレバー（９）により上記締め付けユニット（５）が初期位置と締め付け位置との間での回転可能であることを特徴とするデバイス。
【請求項２】
上記子供用カーシートの下部（４）は子供用カーシートの残りのシート構造体を支持する基底部で構成され、上記基底部は少なくとも上記膝ベルト部分（２）の幅に対応する高さを有する側面（７ａ）を有する隆起部分（７）を伴って設計されており、上記側面（７ａ）の一部は迫持台部分（４ａ）を形成することを特徴とする請求項１記載のデバイス。
【請求項３】
上記締め付けユニット（５）は三次元構造体で構成され、上記三次元構造体は上記隆起部分の側面（７ａ）の高さに対応する高さを有し、上記締め付けユニット（５）は高さの方向に一様の断面を有し、上記断面は楕円形状、角の丸い三角形、角の丸い楔形、滴形、他であることを特徴とする請求項１または２記載のデバイス。
【請求項４】
上記締め付けユニット（５）は偏心的に取り付けられ、上記締め付けユニットの取付けポイント（６）は上記締め付けユニットの中心点から一定の距離を置いて位置づけられていることを特徴とする請求項３記載のデバイス。
【請求項５】
上記迫持台部分（４ａ）は上記締め付けユニット（５）を置くためのリセス（８）を伴って設計され、上記リセス（８）は実質的に上記締め付けユニットの側面（５ａ）の一部に対応する形状を有し、上記締め付けユニットの側面の他の部分は迫持台部分（４ａ）に水平に位置づけられることを特徴とする請求項１〜４のいずれか記載のデバイス。
【請求項６】
上記締め付けユニット（５）は約９０゜の回転角を有することを特徴とする請求項１〜５のいずれか記載のデバイス。
【請求項７】
上記締め付けユニット（５）を初期位置から締め付け位置へ回転させることにより、上記膝ベルト部分は上記締め付けユニットの外周沿いに上記締め付けユニットの側面（５ａ）に接触して移動され、その結果、上記締め付け位置において上記膝ベルト部分は、上記取付けポイント（６）から最遠に位置づけられる締め付けユニット（５）の一部と接触することを特徴とする請求項１〜６のいずれか記載のデバイス。
【発明の詳細な説明】
【技術分野】
【０００１】
本発明は、シートベルトを締め付けるためのデバイスに関する。
【背景技術】
【０００２】
シートベルトは、子供用カーシートを乗客席へ固定するために使用されるべきものである。本発明のある好適な実施形態では、子供用カーシートを取り付けるために膝ベルト部分と斜めベルト部分とを備える３点シートベルトが使用される。本発明によるデバイスは、斜めベルト部分が子供用カーシートの背部サポートに関連して配置され、膝ベルト部分は例えば座部の下である子供用カーシートの下部に関連して、またはその子供用カーシートがそのような構造で設計されていればその基底部に関連して配置される取付け方法に関して特に有益となるであろう。本明細書における基底部という用語は、乗客席の座部に載る底を有する構造体を指し、この基底部は、背部構造体及び座部構造体等の子供用カーシートの残りの構造体を支持する。本基底部は鋳造される場合が多く、膝ベルト部分の受入れ、持ち上げ及び調節に使用可能な形状が適切に供給される。これについては、当業者には、子供用カーシートの下部を取り付けるために３点シートベルト以外のタイプのシートベルトも使用されることが可能であって、問題のシートベルトにとって決定的な特徴はシートベルトの一部が子供用カーシートの下部を覆って配置され得ることにある点が明白となるであろう。
【発明の開示】
【発明が解決しようとする課題】
【０００３】
本発明は、子供用カーシートの下部が、子供用カーシートが可能な限り堅固に保持されかつ好適には乗客席へ押しつけられることを確実にするような方法で乗客席へ固定されるべきであることを目的とする。当然ながら、子供用カーシートの下部を乗客席へ固定するだけの子供用カーシートの取付けでは不十分であり、よって子供用カーシートの上部を接着させる必要もあるであろう。本発明によれば、本特許出願の焦点は子供用カーシートの下部の取付けにあり、よって子供用カーシートの上部の取付けはここでは極く一般的に論じる。子供用カーシートの上部の取付けは様々な方法で実行されることが可能であるが、ここでは特に３点シートベルトの一部を使用することによる、子供用カーシートの上部の特に効果的な取付けのためのシステムについて言及しておく。このシステムは、子供用カーシートの上部が乗客席内へ密接して保持されることを保証し、かつ本発明によるデバイスと共に特に効果的に機能する。子供用カーシートの上部を取り付けるためのこのシステムは、例えばノルウェー特許第２００１３５６４号に記述されている。
【０００４】
現時点では、シートベルトを子供用カーシートの下部に配置するための幾つかのタイプのデバイスが存在する。これに関連して、シートベルトを締め付けるために使用されるメカニズムが開示されている米国特許第５９７９９８２号を参照すると、この場合のメカニズムは幾つかの部分より成り、組立てが比較的複雑である。さらに、Ｕ字形の締め付けメカニズムが開示されている米国特許第６２４７２０８号を参照すると、シートベルトの一部がＵ字の一方のアームの周りに巻き取られ、Ｕ字のもう一方のアームは基底部に対してロックされることが可能である。
【課題を解決するための手段】
【０００５】
本発明によるデバイスは、より単純な構造を有しかつ使用がより簡単である点で、実質的にこれらの周知メカニズムとは異なる。さらに、本発明によれば、自然にきつくなる３点シートベルトに既に存在する締め付け機能が向上され、よって子供用カーシートの下部が最適な程度まで乗客席の方へ押しつけられることを保証する膝ベルト部分からの張力が実現される。本発明によるデバイスによって、上述のように特に子供用カーシートの上部を取り付けるためのシステムと共用されると、安全の観点から従来の解法に比べて遙かに効果的となる子供用カーシートの取付けが達成される。
【０００６】
本発明によるデバイスは３点シートベルトが使用される場合に最も良く機能するが、この場合、膝ベルト部分は子供用カーシートの下部、または子供用カーシートがそれを伴って設計されていればおそらくは基底部に関連して配置される。子供用カーシートの下部／基底部は、膝ベルト部分を置くための迫持台部分を伴って設計される。さらに、子供用カーシートの下部／基底部は、少なくとも１つの取付けポイントに回転可能式に取り付けられる締め付けユニットを伴って配置される。子供用カーシートが乗客席に固定される場合、膝ベルト部分は迫持台部分及び締め付けユニットの一部に各々当たる。この時点で締め付け部分は、初期位置に位置づけられている。この初期位置から、締め付けユニットは取付けポイントを中心に回転されることが可能であって締め付け位置へと至り、膝ベルト部分の一部はここで迫持台部分から離れて移動され、こうして膝ベルト部分と子供用カーシートの下部／基底部との距離が増大される。締め付けユニットの回転動作の間、膝ベルト部分の一部と締め付けユニットとの間の接触は維持される。締め付けユニットが締め付け位置へ至ると、膝ベルト部分の締め付けが達成され、子供用カーシートは乗客席の方へさらに押しつけられる結果となる。
【０００７】
子供用カーシートが基底部を有する場合、これはおそらくは側面を有する隆起部分を伴って設計されることが可能である。隆起した部分及び／または側面は、少なくとも膝ベルト部分の幅に対応する高さを有することが可能である。隆起部分の側面の一部は、膝ベルト部分のための迫持台部分を形成することが可能である。
【０００８】
締め付けユニットは、好適には三次元構造体で構成され、ある実施形態では、締め付けユニットの高さが隆起部分の高さに対応する。ある実施形態では、締め付けユニットは高さの方向に一様の断面を有し、この断面は楕円形状、角の丸い三角形、角の丸い楔形、滴形、他である可能性がある。
【０００９】
さらに、締め付けユニットは、締め付けユニットの取付けポイントが締め付けユニットの中心点から一定の距離を置いて位置づけられることにより、子供用カーシートの下部／基底部に対して偏心的に取り付けられることが可能である。
【００１０】
ある実施形態では、締め付けユニットは迫持台部分におけるリセス内に位置づけられることが可能であり、この場合のリセスは、締め付けユニットの高さ方向の締め付けユニットの側面の一部に実質的に対応する形状であることが可能である。迫持台部分が隆起部分の側面で構成されかつ締め付けユニットが上述のリセス内に位置づけられる場合、締め付けユニットの外側面の一部は迫持台部分に水平に配向されることが可能である。
【００１１】
締め付けユニットは、締め付けユニットが膝ベルト部分に張力を生じさせない初期位置から、締め付けユニットが膝ベルト部分に最大張力を生じさせる最大締め付け位置へ移動されることが可能である。初期位置と最大締め付け位置との間の回転角度は、約９０゜である。本発明の全ての実施形態で、締め付けユニットが最大締め付け位置（９０゜）まで移動される必要はない。個々の実施形態において、締め付けユニットが回転される程度は、シートベルトにどのくらいの「緩み」があるか、締め付けユニットの設計、他によって変わる可能性がある。
【００１２】
締め付けユニットが初期位置から締め付け位置へ回転する際には、膝ベルト部分は締め付けユニットの外周に沿って移動し、締め付けユニットの側面の一部に接触する。締め付けユニットが締め付け位置まで移動しかつ膝ベルト部分の一部が迫持台部分から移動されると、膝ベルト部分は締め付けユニットの一部と接触した状態になり、締め付けユニットは、その断面から見て締め付けユニットの取付けポイントから最遠に位置づけられる。
【００１３】
締め付けユニットにはレバー、ハンドルまたは他の適切な硬質の接続部が接続されることが可能であり、よって締め付けユニットはハンドルの移動により、またはハンドの動作により初期位置と締め付け位置との間で移動されることが有効化される。
【００１４】
次に、図面を参照して本発明を説明する。
【発明を実施するための最良の形態】
【００１５】
図１は、子供用カーシートの下部を基底部４として示している。３点シートベルト１の膝ベルト部分２は、基底部４に接してその周囲に配置されなければならない。基底部は、側面７ａを有する隆起部分７を伴って設計される。側面７ａの高さは少なくとも膝ベルト部分２の幅に対応することから、側面７ａは膝ベルト部分２のための迫持台部分４ａとして適する部分を有する。迫持台部分４ａ／側面７ａには、締め付けユニット５が取付けポイント６を中心にして回転可能式に取り付けられるリセス８が供給されていて、取付けポイント６は締め付けユニットの中心点に対して偏心的に位置づけられる。図１に示す実施形態では、リセス８は締め付けユニットの側面５ａの一部に対応する形状を有し、さらに締め付けユニットの側面５ａの他の部分は迫持台部分４ａに水平に配向されている。締め付けユニット５は、角の丸い三角形状である断面を有して示されている。膝ベルト部分２は、締め付けユニットの側面５ａの一部に接しかつ迫持台部分４ａに接するように、図１に示す通りに配置される。
【００１６】
図１はさらに、締め付けユニット５がハンドル９に接続されていることを示しているが、ハンドル９は締め付けユニット５に固定的に接続されている。このハンドル９を移動させることにより、締め付けユニット５は図１に示す初期位置から図２に示す締め付け位置へ回転移動される。
【００１７】
図２は、締め付けユニット５がその取付けポイント６を中心に回転された様を示し、締め付けユニット５はその初期位置から約９０゜回転している。締め付けユニット５のこの回転移動により、膝ベルト部分２は締め付けユニットの外周沿いに締め付けユニットの側面５ａの一部に接して移動される。締め付けユニット５が締め付け位置へ移動されかつ膝ベルト部分２の一部が迫持台部分４ａとの接触から外れて移動されると、膝ベルト部分は、この場合は締め付けユニットの取付けポイントの反対端における締め付けユニット５の側方エッジである締め付けユニット５の一部に接触した状態になる。この時点で締め付けユニット５が接触している締め付けユニットの部分は、締め付けユニット５の断面から見て締め付けユニットの取付けポイント６から最遠にある締め付けユニット５の領域に位置づけられる。図２に示す位置において、膝ベルト部分２は締め付けられ、子供用カーシートは乗客席の方へさらに押しつけられ、よって子供用カーシートは乗客席にしっかりと固定される。当然ながら、膝ベルト部分２が基底部または子供用カーシートの下部との接触を解かれなければならない場合には、締め付けユニット５を反対方向に、締め付け位置から初期位置へ移動させることも可能である。
【００１８】
図３及び４は各々図１及び２と同じ状況を示すものであるが、この場合は締め付けユニット５が長楕円形の断面で示されている。締め付けユニット５の設計に際しては、側面５ａをおそらくは丸められた側方エッジによって可能な限り連続的であるように設計し、これにより、締め付けユニットの初期位置から延長位置への回転に際して膝ベルト部分２が側面５ａ沿いに接触して移動されなければならない場合にエッジが障害となり得ないようにすることが重要である点は認識されるであろう。
【００１９】
図１乃至４に示した本発明の実施形態では、子供用カーシートの下部が基底部４として示されていて、子供用カーシートの残りの構造体はこの基底部４上に配置されることが可能である。本発明の一実施形態では、子供用カーシートの座部構造体は基底部上へ、子供用カーシートが、ユーザによるアクセスが可能でありかつ初期位置と締め付け位置との間で容易に移動されることが可能なハンドル９を除いて膝ベルト部分２と残りの構成要素とを覆うような方法で配置されることが可能である。
【図面の簡単な説明】
【００２０】
【図１】締め付けユニットが初期位置にある本発明の一実施形態を示す。
【図２】締め付けユニットが締め付け位置へと移動されている本発明の一実施形態を示す。
【図３】締め付けユニットの第２の実施形態による図１と同じ位置を示す。
【図４】締め付けユニットの第２の実施形態による図２と同じ状態を示す。
【図１】
0004431040.tif 000002
【図２】
0004431040.tif 000003
【図３】
0004431040.tif 000004
【図４】
0004431040.tif 000005